(57)【要約】【課題】撥水が悪く種々の形状の傘であっても効率的に除水を行うことができ、且つ安全で簡単な使用方法の傘脱水機を得ることを目的とする。【解決手段】傘脱水機８１は、概略有底筒状をなし収納する傘７０の先端部７２が回転半径外方を向くように回転軸に対して傾斜して設けられ、少なくとも底部に脱水孔４１ａを有する傘収納筒４１と、傘収納筒４１を回転させる駆動装置２０と、傘収納筒４１の周囲を取り囲む受水槽１５とを備えている。傘収納筒４１の傘挿入口４１ｃが回転軸上に設けられている。傘収納筒４１は、窄めて収納された傘７０が回転時に開かない太さの内径とされている。【選択図】        図１
2007017111.tif 000002
【特許請求の範囲】
【請求項１】
概略有底筒状をなし収納する傘の先端部が回転半径外方を向くように回転軸に対して傾斜して設けられ、少なくとも底部に脱水孔を有する傘収納筒と、
前記傘収納筒を回転させる駆動装置と、
前記傘収納筒の周囲を取り囲む受水槽と、
を備えたことを特徴とする傘脱水機。
【請求項２】
前記傘収納筒の傘挿入口がほぼ回転軸上の位置に設けられている
ことを特徴とする請求項１に記載の傘脱水機。
【請求項３】
前記傘収納筒は、窄めて収納された傘が回転時に開かない太さの内径とされている
ことを特徴とする請求項１または２に記載の傘脱水機。
【請求項４】
前記傘収納筒を含む回転体に設けられ、傘収納時の回転体重心の回転軸からの偏りを減少させるバランス手段をさらに備えた
ことを特徴とする請求項１から３のいずれか１項に記載の傘脱水機。
【請求項５】
前記回転体の回転支持部と外箱との間に前記回転体の振動を吸収する防振装置が設けられている
ことを特徴とする請求項１から４のいずれか１項に記載の傘脱水機。
【請求項６】
前記傘収納筒の傘挿入口に対して開閉自在に設けられた開閉蓋をさらに備えた
ことを特徴とする請求項１から５のいずれか１項に記載の傘脱水機。
【請求項７】
前記傘収納筒の回転及び停止動作を検出して、前記傘収納筒の回転中に、前記開閉蓋を閉じた状態に保持する開閉蓋安全ロック装置をさらに備えた
ことを特徴とする請求項６に記載の傘脱水機。
【請求項８】
前記回転体の回転時の偏心量を検出して、この偏心量が所定のしきい値より大きいとき、前記駆動装置を停止させる回転停止装置
ことを特徴とする請求項１から７のいずれか１項に記載の傘脱水機。
【請求項９】
前記傘収納筒が水平に対して、０°〜９０°の傾き角を持っている
ことを特徴とする請求項１から８のいずれか１項に記載の傘脱水機。
【請求項１０】
前記傘収納筒を複数本備えている
ことを特徴とする請求項１から９のいずれか１項に記載の傘脱水機。
【請求項１１】
前記回転体の回転軸が水平に対して、０°〜９０°の傾き角を持っている
ことを特徴とする請求項１から１０のいずれか１項に記載の傘脱水機。
【発明の詳細な説明】
【技術分野】
【０００１】
本発明は、傘に付着した水滴や雪を高速回転による遠心力にて短時間で除去する傘脱水機に関するものである。
【背景技術】
【０００２】
雨水や雪等で濡れた傘の脱水する方法として、従来、傘を脱水槽に入れて遠心力を用いて除水処理するタイプの傘脱水機が種々開発されている。例えば、傘を回転する脱水槽に入れ更にヒータなどの熱によって乾燥を速める方法等、乾燥の短時間化に工夫が払われている（例えば、特許文献１から７参照）。
【０００３】
【特許文献１】特開平１１−２５７８５４号公報
【特許文献２】特開平１１−０１４２５３号公報
【特許文献３】特開平０８−１０５６８８号公報
【特許文献４】特開平０７−１５５６４５号公報
【特許文献５】特開平０６−１５１４０５号公報
【特許文献６】特開平０６−１０９３６２号公報
【特許文献７】実開平０７−４１３８２号公報
【発明の開示】
【発明が解決しようとする課題】
【０００４】
従来の回転による遠心力を利用した傘脱水機においては、そのほとんどが傘を回転させることができる脱水槽に入れ、傘を回転させることによって脱水を行う方式をとっている。このような傘脱水機においては、洗濯物と異なり柄・骨・石突きなどがある傘を高速回転させるので、安全でかつ傘の破壊を防ぐ構造のものでなければならない。
【０００５】
また、傘には多様な種類があり、形状・長さ・材質などがそれぞれ異なる。そして、傘脱水機においては、これらの多様な種類の傘に対して確実に固定する手段が必要であり、更に傘の回転によって発生する振動を抑制する手段も必要になる。特に撥水性の悪い傘の場合は、傘布への水滴の付着力が強いため水滴を除去するためには、付着力に打ち勝つだけの回転力を与える必要がある。そのため、さらに傘の固定において確実でかつ安全なものが要求される。
【０００６】
これに対して、従来種々の方法が提案されている。すなわち、さまざまな種類の傘を確実にかつ損傷することなく固定する方法として、例えば、使用者が所定の固定部材に傘を固定する方法、または傘脱水機にセンサなどを装備して自動で傘の種類・長さを認識させ傘脱水機が自動で固定する方法などが提案されている。しかしながら、前者のものは使用者に多く負担がかかり手軽に使用しづらいという問題があり、一方、後者のものは装置作製に高度な技術が必要で装置が高価なものとなり、量産性に乏しいという問題があった。
【０００７】
本発明は、上記に鑑みてなされたものであって、撥水が悪く種々の形状を成す傘であっても効率的に除水を行うことができ、且つ安全で簡単な使用方法の傘脱水機を得ることを目的とする。
【課題を解決するための手段】
【０００８】
上記課題を解決するために本発明の傘脱水機は、概略筒状をなし収納する傘の先端部が回転半径外方を向くように回転軸に対して傾斜して設けられた傘収納筒と、傘収納筒を回転させる駆動装置と、傘収納筒の周囲を取り囲む受水槽とを備えている。また、傘収納筒の傘挿入口が回転軸上に設けられている。さらに、傘収納筒は、窄めて収納された傘が回転時に開かない太さの内径とされている。
【発明の効果】
【０００９】
傘を収納する傘収納筒を、傘の先端部が回転半径外方を向くように回転軸に対して傾斜して設けることにより、傘を外方に移動させようとする遠心力は、傘を先端方向に移動させるように働き、そして、傘は先端部を傘収納筒の底面に当接して押し止められる。すなわち、回転時の遠心力によって、傘は先端部を傘収納筒の底面に押し止められるように付勢される。これにより、傘は傘収納筒の内部で安定して拘束される。そのため、特別に傘の固定手段を設けなくても、傘を安定して収納することができる。これにより、使用者が傘を傘脱水機の所定の場所に固定する手間が省けるとともに、使い勝手のよい手軽に使用することが出来る傘脱水機とすることができる。
【００１０】
また、回転時の遠心力は、傘の柄から先端の方向に向かって作用するので、傘に付着した水が柄から先端の方向に向かって移動し、水が不自然な場所へ入り込んでしまうことなく、良好に脱水することができる。
【００１１】
さらに、傘収納筒の傘挿入口が回転体の回転軸上に設けられているので、傘収納筒がどの位置で停止しても傘の挿抜が容易になり、さらに使い勝手のよい手軽に使用することが出来る傘脱水機とすることができる。また、傘収納筒は、窄めて収納された傘が回転時に開かない太さの内径とされているので、傘を傘収納筒に挿入する操作のみで、回転時に傘が開いてしまうことがないように良好に保持することができる。
【発明を実施するための最良の形態】
【００１２】
以下に、本発明にかかる傘脱水機の実施の形態を詳細に説明する。なお、この実施の形態によりこの発明が限定されるものではない。以下では、本発明の傘脱水機の概略と特徴を先に説明し、その後に傘脱水機に関する具体的な実施の形態を説明する。
【００１３】
この発明にかかる傘脱水機は、脱水用の回転軸に対して傾斜させた傘収納筒にぬれた傘をすぼめた状態で入れることによって、どのような形状の傘でも、撥水が劣化した傘でも効率よく脱水が可能である。挿入後、傘挿入口上部にある開閉蓋を閉め、安全が確認された後、脱水空間下部に備えた駆動装置により傘収納筒は回転を始める。回転中は、アンバランスがあると傘収納筒が振動を始めるが、バランサによって自動的にバランスがとられ所定以上の振動となることを防ぐ、さらに高速回転時に生じる振動は脱水槽周囲の防振装置によって吸収され傘脱水機外部を構成している筐体に伝達することを防ぐ。このように傘収納筒が高速回転を行えるような防振装置を備えることによって、傾斜させた傘収納筒の高速回転を行うことができ、撥水性の低下した傘で傘の襞同士が密着した状態になってもその間の水滴や傘布自体に染込んだ水分も短時間に、使用者が満足できる程度の使用後に傘から水滴が垂れない、衣類などぬらさない程度に除水をすることができる。さらに脱水中の傘には、斜め下に遠心力が働くため構造的に傘収納筒から飛び出すことがない。廃幣蓋を閉めて脱水が始まると、使用者に危険が及ばないよう回転が停止するまで開閉蓋が開かないようなロック機能を有し、傘脱水槽のアンバランスが大きすぎる場合、脱水機が破損しないように回転を停止できるセンサを有することによって、安全かつ高速に傘を脱水できる。さらに、傘収納筒の傘収納筒が回転軸上にあるため、脱水後の傘収納筒の位置がどのようになっていても、傘の挿抜を容易に行うことができる。
【００１４】
実施の形態１．
図１はこの発明を実施するための実施の形態１における傘脱水機の横断面図である。図２は図１の傘脱水機の上面図である。この実施の形態の傘脱水機８１は、事務所や店舗等のロビーや玄関先に設置されるものであり、濡れた傘を投入しその場で傘を除水できるものである。図１において、傘脱水機８１は、鋼板等で作製された概略直方体箱状の外箱１１を有している。外箱１１は、傘脱水機８１のフレームとして働くとともに、外装としての機能もはたしている。外箱１１の上面には円形の開口が形成されており、この開口には円板状の開閉蓋１３が開閉自在に取り付けられている。
【００１５】
外箱１１の中には、内部空間のほぼ全体に広がるように概略カップ状の受水槽１５が設けられている。受水槽１５は、脱水動作によって傘から離散した水を収集する働きをする。受水槽１５によって収集された水は、受水槽１５の底部に連通して設けられた排出管１７から排出される。外箱１１の下部には受水槽１５の収集した水を貯留する水受タンク１９が配置されており、排出管１７から排出された排水は、この水受タンク１９に一時的に溜められるようになっている。
【００１６】
外箱１１と受水槽１５との間に防振装置として働く４本のダンパ２３が設けられている。受水槽１５は、外箱１１からこの４本のダンパ２３によって支持されている。４本のダンパ２３は、脱水動作が行われた際、受水槽１５に伝えられた振動が外箱１１に伝わらないように、振動を吸収する働きをする。
【００１７】
受水槽１５の内部に回転体５１が配設されている。回転体５１は、受水槽１５の底部に固定された軸受２５により、受水槽１５に対して回転自在に支持されている。回転体５１は、受水槽１５の底部裏面に設けられた駆動装置２０によって回転駆動力を与えられて回転する。駆動装置２０は、受水槽１５の底部裏面に固定された駆動モータ２１と、プーリー及びベルトで構成された減速機構２２とを有している。駆動装置２０には、所定時間内の除水が正常終了した際、直ちに停止できるようにブレーキが装備されている。このブレーキは異常停止の際にも用いられる。
【００１８】
図３は回転体５１の斜視図である。回転体５１は、駆動装置２０によって回転される回転円板３１と、回転円板３１上に回転軸Ａに沿って立設する２本の支持柱３２と、支持柱３２の下部から回転軸Ａの垂直方向に延びる２本の補助支柱３３、支持柱３２の上部に固定された円環状のバランサ３４と、バランサ３４の中央穴と補助支柱３３との間に支持された傘収納筒４１とを有している。これらの各部材は、脱水時の高速回転力に耐えられ、かつ防錆・防カビ効果の高い例えばステンレス等の金属や、抗菌加工等が施された十分強度のあるプラスチック等によって作製されている。
【００１９】
傘収納筒４１は、概略有底長尺円筒状を成し筒の底面４１ａは脱水孔を構成する網状とされている。傘収納筒４１の開口部で構成される傘挿入口４１ｃは回転軸Ａ上に位置している。一方、傘挿入口４１ｃと反対側に設けられ、傘７０の石突き７２（傘先端部）を収納する部分は、回転軸に対して所定距離だけ離れている。つまり、傘収納筒４１（正確には、傘収納筒４１の中心軸Ｂ）は、回転軸Ａに対して角度θだけ傾斜している。
【００２０】
傘収納筒４１が回転軸Ａに対して傾斜して設けられ、窄めて収納された傘が回転時に開かない太さの内径とされているので、回転時に遠心力によって、回転半径外方向に移動しようとする傘７０は、傘収納筒４１底の網部４１ａに押し止められ、且つ開こうとする本体部は傘収納筒４１の内壁に拘束されるので、傘収納筒４１内に安定されて保持される。また、傘挿入口４１ｃが回転軸上に設けられているので、傘収納筒４１がどのような位置で停止しても傘の挿抜を容易とすることができる。
【００２１】
バランサ３４は、所定の重さで且つ環状を成し回転体５１が回転する際、安定して回転することに寄与している。これ加えてバランサ３４は、中心から所定距離だけ離れた裏面にカウンターウエイト３５を有している。カウンターウエイト３５は、傘収納筒４１が傾斜させて取り付けられているために生じる重心の偏りを矯正する。つまり、重心が回転軸上に来るように矯正する。尚、このときの重心は傘７０を収納しているときのものである。バランサ３４とカウンターウエイト３５とは、傘７０収納時の回転体５１の重心の回転軸からの偏りを減少させるバランス手段を構成している。
【００２２】
図１に戻り、開閉蓋１３の裏面に開閉蓋安全ロック装置１４が設けられている。開閉蓋安全ロック装置１４には、駆動装置２０より、例えば駆動中のみハイ（ｈｉｇｈｔ）となる信号、つまり、回転体５１が回転中であるか否かを示す信号が常に入力されている。また、開閉蓋安全ロック装置１４には、回転異常検出センサ１６からも回転体５１が回転中であるか否かを示す信号が常に入力されている。開閉蓋安全ロック装置１４は、この２つの信号のＯＲ論理条件により、いずれか一方でも回転体５１が回転中と判断される信号が入力されているとき開閉蓋１３に施錠をする。すなわち、開閉蓋安全ロック装置１４は、傘収納筒４１の回転及び停止動作を検出して、傘収納筒４１の回転中に、開閉蓋１３を閉じた状態に保持する。そのため、傘収納筒４１の回転時に誤って開閉蓋１３が開いてしまうことがなく、安全性が向上する。また、万が一開閉蓋１３が開いてしまった場合のために、開閉蓋１３開放の信号は駆動装置２０に入力されており、所定の時間が経過して脱水動作が終了する前に開閉蓋１３が開くと駆動装置２０が即時に停止するようにされている。
【００２３】
また、バランサ３４の外周面に対向して回転異常検出センサ１６が設けられている。回転異常検出センサ１６は、バランサ３４が回転しているか否かを検出することができるともに、回転時のバランサ３４の中心からの偏心量を検出することができる複合センサである。偏心量は、傘を収納する傘収納筒４１の回転時に測定され、この偏心量が所定のしきい値より大きいとき駆動装置２０に向けて駆動停止の信号が出力される。駆動装置２０はこの信号がハイ（ｈｉｇｈｔ）のときにはモータ２１の駆動を停止する。回転異常検出センサ１６は、回転体５１の回転時の偏心量を検出して、この偏心量が所定のしきい値より大きいとき、駆動装置２０を停止させる回転停止装置を構成している。
【００２４】
次に、動作を説明する。傘脱水機８１の使用者は、把手１３ａをつかんで開閉蓋１３を開け、傘挿入口４１ｃから傘収納筒４１の中へ雨水や雪で濡れた傘７０を窄めた状態で挿入する。傘７０は先端部７２を網部４１ａに押し当てて保持される。使用者が開閉蓋１３を閉じた際、図示しないセンサにより傘７０が検出されると、駆動装置２０が駆動し回転体５１が回転を始め脱水が始まる。遠心力は傘７０を網部４１ａに付勢するので傘７０は安定した状態で旋回する。傘７０に付着していた水は遠心力によって先端部７２方向に移動し、網部４１ａを通り抜け傘収納筒４１の外へ出る。傘収納筒４１の回転中は開閉蓋安全ロック装置１４の働きにより、開閉蓋１３が開いてしまうことがない。傘収納筒４１の外へ出た水は、その後、水は受水槽１５にて集められ排出管１７を通って水受タンク１９に溜まる。もし、何らかの原因で回転体５１の偏心量が所定のしきい値を超えるようなことがあれば、回転異常検出センサ１６にて検出され、駆動装置２０のブレーキが働いて回転体５１が即時停止する。所定の時間脱水動作が行われ、正常に終了すると、開閉蓋１３が開けられるようになり、使用者は開閉蓋１３を開けて傘を引き抜く、このとき、傘挿入口４１ｃが回転軸上に設けられているので、傘収納筒４１がどのような位置で停止しても傘の挿抜を容易とすることができる。なお、傘挿入口４１ｃは、正確に回転軸上にあるものでなくとも、概略回転軸上にあれば、効果を得ることができる。
【００２５】
なお、バランス手段は図３に示された構成に限定されるものではなく、次に示すものでもよい。図４はバランス手段の他の例を示す回転体５２の斜視図である。図４に示された回転体５２は、回転軸方向の中間部にバランサ３６とカウンターウエイト３５とを有している。図５はバランス手段のさらに他の例を示す回転体５３の斜視図である。図５に示された回転体５３は、回転円板３１上にカウンターウエイト３５が設けられている。つまり、回転体５３にあっては、回転円板３１がバランサの働きを兼ねている。このような回転体５２、回転体５３であっても、回転体５１と概略同様な効果を得ることができる。
【００２６】
なお、バランス手段は、回転体５１、５２および５３のように、一定の重量のカウンターウエイト３５を固定するものでもよいが、傘の形状および重量は多様であるため、回転時の重心位置及び傘の重量が異なるさまざまな傘に対応させる目的で、図６に示すようにカウンターウエイト３５をウエイト移動モータ３７などで半径方向に移動できる構造としてもよい。図６のバランス手段においては、図示しないガイドによって半径方向に移動可能とされたカウンターウエイト３５に対して、ウエイト移動モータ３７の駆動軸に螺刻された雄ねじ部が係合しており、ウエイト移動モータ３７が正転・逆転をするとカウンターウエイト３５が半径方向に移動する。そして、ウエイト移動モータ３７には、回転異常検出センサ１６が検出する偏心量を表す信号が入力されており、ウエイト移動モータ３７は、この偏心量が最も小さくなるようにフィードバック制御されて動作する。この制御により、多様な形状および重量の傘が投入されても回転体５１の重心が自動的に回転軸上に移動し良好に回転する。
【００２７】
さらに、バランス手段として、図７、図８に示すような流体バランサ３８を用いても自動的に調整することができる。流体バランサ３８は、図８に示されるように環状の密閉容器の中に変形容易な流体などを封入した構造のものであり、内部で流体が移動して重心が自動的に調整される。なお、内部に封入する物は流体に限らず、例えばよく転がる金属ボール等を用いても良い。
【００２８】
図９−１は本実施の形態の傘収納筒４１の詳細を示す斜視図である。傘収納筒４１は、概略有底長尺円筒状を成し筒の底面４１ａは脱水孔を構成する網状とされており、反対側には、傘挿入口４１ｃが開口している。図９−２は関連する他の傘収納筒４２の詳細を示す斜視図である。傘収納筒４２は、概略有底長尺円筒状を成し筒の底面４２ａは脱水孔を構成する網状とされており、反対側には、傘挿入口４２ｃが開口している。円筒状の側面に多数の脱水孔が穿孔されているので、強度は弱くなるが、脱水はさらに円滑に行われるようになる。
【００２９】
図９−３は関連するさらに他の傘収納筒４３の詳細を示す斜視図である。傘収納筒４３は、概略長尺円錐台状を小径側の底面４３ａは脱水孔を構成する網状とされており、反対の大径側には、傘挿入口４３ｃが開口している。傘収納筒４３が長尺円錐台状となることで、より傘の形にフィットするようになり拘束が確実となる。図９−４は関連するさらに他の傘収納筒４４の詳細を示す斜視図である。傘収納筒４４は、概略長尺円錐台状を小径側の底面４４ａは脱水孔を構成する網状とされており、反対の大径側には、傘挿入口４４ｃが開口している。円錐台状の側面には、多数の脱水孔が穿孔されているので、強度は弱くなるが、脱水はさらに円滑に行われるようになる。
【００３０】
以上のように本実施の形態の傘脱水機８１においては、傘７０を収納する傘収納筒４１が、傘７０の先端部が回転半径外方を向くように回転軸に対して傾斜して設けられているので、傘７０を外方に移動させようとする遠心力は、傘７０を先端部７２方向に移動させるように働き、傘７０は先端部を傘収納筒４１の底面に当接して押し止まる。これにより、傘７０は傘収納筒４１の内部で安定して拘束される。そのため、特別に傘の固定手段を設けなくても、傘を安定して保持することができる。これにより、使用者が傘を傘脱水機の所定の場所に固定する手間が省けるとともに、使い勝手のよい手軽に使用することが出来る傘脱水機とすることができる。また、このような構造により、比較的高い回転速度で傘収納筒４１を回転させることが可能となる。そのため、挿入時に傘の襞同士が重なっている部分に関してもその付着力に打ち勝つだけの遠心力を与えられることにより傘表面から引き剥がされる事により効率がよい除水が可能となる。
【００３１】
また、回転時の遠心力は、傘７０の柄７１から先端部７２の方向に向かって作用するので、傘７０に付着した水が柄から先端の方向に向かって移動し、水が不自然な場所へ入り込んでしまうことなく、良好に脱水することができる。
【００３２】
さらに、傘収納筒４１の傘挿入口４１ｃが回転体５１の回転軸上に設けられているので、傘収納筒４１がどの位置で停止しても傘７０の挿抜が容易になり、さらに使い勝手のよい傘脱水機とすることができる。また、傘収納筒４１は、窄めて収納された傘７０が回転時に開かない程度の内径とされているので、傘７０を傘収納筒４１に挿入する操作のみで、回転時に傘が開いてしまうことがないように良好に保持することができる。
【００３３】
さらにまた、受水槽１５は、外箱１１から４本のダンパ２３（防振装置）により支持されており、すなわち、受水槽１５を介して、軸受２５（回転支持部）と外箱１１との間に、回転体５１の振動を吸収するダンパ２３が設けられており、ダンパ２３は、回転体５１が回転時に発生する振動を吸収するので、回転時に回転体５１に発生する振動が外箱１１に伝達されることが抑制され、外箱１１の振動が減少する。
【００３４】
また、傘収納筒４１の傘挿入口４１ｃに対して、開閉蓋１３が開閉自在に設けられているので、高速回転時に誤って傘収納筒４１から傘７０が抜け出るようなことがあっても、閉じられた開閉蓋１３によって傘７０が装置外部に飛び出すことが防止され、安全性が向上する。
【００３５】
なお、本実施の形態の駆動装置２０は、減速機構２２を介して回転体５１と連結されているが、減速機構２２を用いず直接に回転体５１と連結されてもよい。また、駆動装置２０はブレーキを内蔵しているが、このブレーキ機構は自動車のブレーキのようにディスクブレーキでも、駆動装置が電磁式の場合は回生ブレーキでもかまわない。
【００３６】
また、バランサ３４が回転しているか否かを検出することができるともに、回転時のバランサ３４の中心からの偏心量を検出することができる複合センサである回転異常検出センサ１６は、バランサ３４に接触する接触型のスイッチでもよいし、非接触の赤外線などを利用した方式や磁気などを利用した方式のものでもよい。
【００３７】
実施の形態２．
図１０はこの発明を実施するための実施の形態２における扁平型傘脱水機の横断面図である。図１０において、扁平型傘脱水機８２の傘収納筒４１は、実施の形態１のものより、回転軸に対する傾き角が大きくされている。すなわち、傘収納筒４１の傾きが実施の形態のものよりさらに水平に近づけられるように傾けられている。その角度は、水平に対して約４５度である。その他の構成は実施の形態１のものと概略同様である。実施の形態１のものと同じ部分については、実施の形態１のものと同じ符号を用い、それらについての説明は省略する。本実施の形態の扁平型傘脱水機８２においては、占有面積は実施の形態１に比べ大きくなるが、傘収納筒４１の傘挿入口４１ｃの位置が、傘脱水機８２の設置面に対して低い位置になるので、傘の挿抜性が高められ、子供やお年寄りでも容易に使用できるようになり、傘脱水機８２を使用できる対象者が増えるなどの利点がある。
【００３８】
本実施の形態の扁平型傘脱水機８２においては、傘収納筒４１の傾きを実施の形態１のものより大きくしているが、傘収納筒４１の傾き角は、それぞれ４５度に限らず、０°から９０°の間で任意のものが選択されてよい。
【００３９】
実施の形態３．
図１１はこの発明を実施するための実施の形態３におけるスラント型傘脱水機の横断面図である。図１１において、スラント型傘脱水機８３においては、回転体５１の回転軸が鉛直方向に対して約４５度に傾けられている。その他の構成は実施の形態１のものと基本的に同様である。実施の形態１のものと同じ部分については、実施の形態１のものと同じ符号を用い、それらについての説明は省略する。本実施の形態のスラント型傘脱水機８３においては、実施の形態２のもと同様に、傘収納筒４１の傘挿入口４１ｃの位置が、傘脱水機８３の設置面に対して低い位置になるので、傘の挿抜性が高められ、本傘脱水機を使用できる対象者が増えるなどの利点がある。
【００４０】
本実施の形態のスラント型傘脱水機８３においては、傘収納筒４１の傾きが実施の形態１のものより大きくしているが、回転体５１の回転軸の傾き角は、それぞれ４５度に限らず、０°から９０°の間で任意のものが選択されてよい。
【００４１】
実施の形態４．
図１２はこの発明を実施するための実施の形態４における横型傘脱水機の横断面図である。図１２において、横型傘脱水機８４においては、回転体５１の回転軸が水平となるようにされている。その他の構成は実施の形態１のものと基本的に同様である。実施の形態１のものと同じ部分については、実施の形態１のものと同じ符号を用い、それらについての説明は省略する。本実施の形態の横型傘脱水機８４においては、実施の形態２、３のもと同様に、傘収納筒４１の傘挿入口４１ｃの位置が、傘脱水機８３の設置面に対して低い位置になるので、傘の挿抜性が高められ、本傘脱水機を使用できる対象者が増えるなどの利点がある。また、本実施の形態の横型傘脱水機８４においては、回転体５１の回転軸が水平となるようにされているので、開閉蓋１３が外箱１１の側面に設けられている。そのため、例えば、建物の壁面に埋め込んで使用することができ、設置スペースの削減を図ることができる。
【００４２】
実施の形態５．
図１３はこの発明を実施するための実施の形態５における省スペース型傘脱水機の横断面図である。図１３において、省スペース型傘脱水機８５においては、省スペース化を図ったものであり、実施の形態１のものと比較して、箱体１１の上部が省略されている。ダンパ２３は、受水槽１５の下方にて、箱体１１から受水槽１５を支持している。箱体１１は、受水槽１５の下方にて、駆動装置２０、水受タンク１９およびダンパ２３のみを収納している。そして、受水槽１５の側面が露呈しており、受水槽１５は装置の外装を兼ねている。開閉蓋１３は、受水槽１５の上部開口に設けられている。このような構成の省スペース型傘脱水機８５においては、装置の占有スペースを大幅に小さくすることができる。
【００４３】
実施の形態６．
図１４はこの発明を実施するための実施の形態６における回転体の斜視図である。図１４において、本実施の形態の回転体５６は、互いに傾き方向を変えて交差するように設けられた２本の傘収納筒４１を有している。２本の傘収納筒４１は、傘収納時の重心の偏心が互いに打ち消されるように配置されている。その他の構成は実施の形態１のものと同様である。本実施の形態の傘脱水機においは、一度に２本の傘を脱水することができる。なお、本実施の形態の回転体５６は、２本の傘収納筒４１を有するものであるが、２本に限らずさらに多くの傘収納筒４１を装備するものであってもよい。
【図面の簡単な説明】
【００４４】
【図１】この発明を実施するための実施の形態１における傘脱水機の横断面図である。
【図２】図１の傘脱水機の上面図である。
【図３】実施の形態１の回転体の斜視図である。
【図４】バランス手段の他の例を示す回転体の斜視図である。
【図５】バランス手段のさらに他の例を示す回転体の斜視図である。
【図６】モータによってカウンターウエイトのバランス手段の例を示す回転体の斜視図である。
【図７】流体バランサを有する回転体の斜視図である。
【図８】内部の流体の様子を示す流体バランサの断面図である。
【図９−１】実施の形態１の傘収納筒の斜視図である。
【図９−２】傘収納筒の他の例を示す斜視図である。
【図９−３】傘収納筒のさらに他の例を示す斜視図である。
【図９−４】傘収納筒のさらに他の例を示す斜視図である。
【図１０】この発明を実施するための実施の形態２における扁平型傘脱水機の横断面図である。
【図１１】この発明を実施するための実施の形態３におけるスラント型傘脱水機の横断面図である。
【図１２】この発明を実施するための実施の形態４における横型傘脱水機の横断面図である。
【図１３】この発明を実施するための実施の形態５における省スペース型傘脱水機の横断面図である。
【図１４】この発明を実施するための実施の形態６における回転体の斜視図である。
【符号の説明】
【００４５】
１１  外箱
１３  開閉蓋
１３ａ  把手
１４  開閉蓋安全ロック装置
１５  受水槽
１６  回転異常検出センサ（回転停止装置）
１７  排出管
１９  水受タンク
２０  駆動装置
２１  駆動モータ
２２  減速機構
２３  ダンパ（防振装置）
２５  軸受（回転支持部）
３１  回転円板
３２  支持柱
３３  補助支柱
３４  バランサ（バランス手段）
３５  カウンターウエイト（バランス手段）
３７  ウエイト移動モータ（バランス手段）
３８  流体バランサ（バランス手段）
３９  流体
４１，４２，４３，４４  傘収納筒
４１ａ，４２ａ，４３ａ，４４ａ  傘収納筒底の網（脱水孔）
４２ｂ，４４ｂ  傘収納筒の側面に形成された脱水孔
４１ｃ，４２ｃ，４３ｃ，４４ｃ  傘挿入口
５１，５２，５３，５４，５５，５６  回転体
７０  傘
７１  傘の柄
７２  傘の石突き（傘の先端部）
８１  傘脱水機
８２  扁平型傘脱水機
８３  スラント型傘脱水機
８４  横型傘脱水機
８５  省スペース型傘脱水機
【図１】
2007017111.tif 000003
【図２】
2007017111.tif 000004
【図３】
2007017111.tif 000005
【図４】
2007017111.tif 000006
【図５】
2007017111.tif 000007
【図６】
2007017111.tif 000008
【図７】
2007017111.tif 000009
【図８】
2007017111.tif 000010
【図９−１】
2007017111.tif 000011
【図９−２】
2007017111.tif 000012
【図９−３】
2007017111.tif 000013
【図９−４】
2007017111.tif 000014
【図１０】
2007017111.tif 000015
【図１１】
2007017111.tif 000016
【図１２】
2007017111.tif 000017
【図１３】
2007017111.tif 000018
【図１４】
2007017111.tif 000019